(57)【要約】【課題】カバーが邪魔になったり、折損したりすることを好適に抑制することができる。【解決手段】電源コンセント１０は、取付壁２０に形成された開口２１の裏側において前後動可能に設けられ、開口２１に近接してこれを閉塞する閉塞位置と開口２１から離間してこれを開放する開放位置とに移動可能なカバー４０と、取付壁２０の裏側において同取付壁２０の壁面に沿って移動可能に設けられるとともに電源プラグ９０の電極９１が差し込まれる接続端子を有し、開口２１から離間した離間位置と同開口２１に近接する近接位置とに移動可能なコンセント本体３０と、閉塞位置から開放位置へのカバー４０の移動と離間位置から近接位置へのコンセント本体３０の移動とを連動させる連動機構５０と、を備え、コンセント本体３０が離間位置から近接位置に移動する際に電源プラグ９０の電極９１が接続端子に差し込まれるように同コンセント本体３０が構成されている。【選択図】図２
2014075213.tif 000002
【特許請求の範囲】
【請求項１】
電源プラグの電極が差し込み可能な電源コンセントにおいて、
取付壁に形成された開口の裏側において前後動可能に設けられ、前記開口に近接して同開口を閉塞する閉塞位置と前記開口から離間して同開口を開放する開放位置とに移動可能なカバーと、
取付壁の裏側において同取付壁の壁面に沿って移動可能に設けられるとともに電源プラグの電極が差し込まれる端子を有し、前記開口から離間した離間位置と前記開口に近接する近接位置とに移動可能なコンセント本体と、
前記閉塞位置から前記開放位置へのカバーの移動と前記離間位置から前記近接位置へのコンセント本体の移動とを連動させる連動機構と、を備え、
前記コンセント本体が前記離間位置から前記近接位置に移動する際に電源プラグの電極が前記端子に差し込まれるように同コンセント本体が構成されている、
ことを特徴とする電源コンセント。
【請求項２】
請求項１に記載の電源コンセントにおいて、
前記カバーを前記閉塞位置へ向けて付勢する付勢部材が設けられている、
ことを特徴とする電源コンセント。
【請求項３】
請求項１又は請求項２に記載の電源コンセントにおいて、
前記カバーの意匠面には電源プラグの挿入姿勢を規制する凹部が形成されている、
ことを特徴とする電源コンセント。
【請求項４】
請求項１〜請求項３のいずれか一項に記載の電源コンセントにおいて、
コンセント本体には、前後方向に沿って延びる第１溝と、前記第１溝に接続されるとともに前後方向において前記開口から離間するほど取付壁の壁面に沿った方向において前記開口から離間するように傾斜して延びる第２溝とからなるガイド溝が設けられ、
カバーには前記ガイド溝に嵌合される軸部が設けられ、
前記連動機構は前記ガイド溝と前記軸部とによって構成されている、
ことを特徴とする電源コンセント。
【発明の詳細な説明】
【技術分野】
【０００１】
本発明は、電気器具等の電源プラグの電極が差し込み可能な電源コンセントに関する。
【背景技術】
【０００２】
従来、この種の電源コンセントとしては、例えば特許文献１に記載された構成がある。特許文献１に記載の電源コンセントでは、コンセント本体の前面に電源プラグの電極を差し込み可能な差込口が形成されている。また、コンセント本体の前側には上記差込口を開閉するカバーが設けられている。こうしたカバーとしては、コンセント本体の幅方向に沿って延びる軸を中心に回動可能に設けられているものや、コンセント本体の前面に沿ってスライド可能に設けられているものが開示されている。
【０００３】
そして、電源コンセントを使用する際には、使用者が指によってカバーを直接的に回動させたり、スライドさせたりすることにより上記差込口を開放して、コンセント本体の差込口に電源プラグの電極が差し込まれる。また、カバーにより上記差込口が閉鎖された状態においては、同差込口内に異物が入らないようになっている。
【先行技術文献】
【特許文献】
【０００４】
【特許文献１】特開２０００―３０１９９１号公報
【発明の概要】
【発明が解決しようとする課題】
【０００５】
ところで、こうした電源コンセントでは、軸を中心にカバーが回動可能に設けられている構成の場合、カバーが手前側に突出した状態で電源コンセントが使用されることとなる。また、コンセント本体の前面に沿ってカバーがスライド可能に設けられている構成の場合、カバーがコンセント本体よりも上方に突出した状態で電源コンセントが使用されることとなる。そのため、カバーが邪魔になったり、折損したりするおそれがある。
【０００６】
本発明の目的は、カバーが邪魔になったり、折損したりすることを好適に抑制することができる電源コンセントを提供することにある。
【課題を解決するための手段】
【０００７】
上記目的を達成するため、本発明に従う電源コンセントは、電源プラグの電極が差し込み可能なものであり、取付壁に形成された開口の裏側において前後動可能に設けられ、前記開口に近接して同開口を閉塞する閉塞位置と前記開口から離間して同開口を開放する開放位置とに移動可能なカバーと、取付壁の裏側において同取付壁の壁面に沿って移動可能に設けられるとともに電源プラグの電極が差し込まれる端子を有し、前記開口から離間した離間位置と前記開口に近接する近接位置とに移動可能なコンセント本体と、前記閉塞位置から前記開放位置へのカバーの移動と前記離間位置から前記近接位置へのコンセント本体の移動とを連動させる連動機構と、を備え、前記コンセント本体が前記離間位置から前記近接位置に移動する際に電源プラグの電極が前記端子に差し込まれるように同コンセント本体が構成されている。
【０００８】
同構成によれば、電源コンセントが使用されていないときにはカバーは取付壁の開口を閉塞する閉塞位置に位置し、コンセント本体は同開口から離間した離間位置に位置する。一方、電源コンセントを使用する際には、電源プラグの先端によってカバーの意匠面を押すことによって上記閉塞位置から上記開口を開放する開放位置へカバーを移動させると、こうしたカバーの移動に連動して、コンセント本体が上記離間位置から上記開口に近接した近接位置へと移動する。またこの際、電源プラグの電極がコンセント本体の端子に差し込まれる。このように、上記構成によれば、カバーが取付壁の開口内に常に位置することから、意図しない外力がカバーに対して作用することがない。従って、カバーが邪魔になったり、折損したりすることを好適に抑制することができる。
【図面の簡単な説明】
【０００９】
【図１】本発明の一実施形態に係る電源コンセントの斜視構造を示す斜視図。
【図２】図１の２−２線に沿った断面構造を示す断面図。
【図３】図２の３−３線に沿った断面構造を示す断面図。
【図４】図１の４−４線に沿った断面構造を示す断面図。
【図５】図２の５−５線に沿った断面構造を示す断面図。
【図６】図２に対応する断面図であって閉塞位置と閉塞位置との間にカバーが位置している状態を示す断面図。
【図７】図２に対応する断面図であって閉塞位置にカバーが位置している状態を示す断面図。
【図８】図３に対応する断面図であって近接位置にコンセント本体が位置している状態を示す断面図。
【発明を実施するための形態】
【００１０】
以下、図１〜図８を参照して本発明を車載用電源コンセントとして具体化した一実施形態について説明する。
図１に示すように、車室内のセンタコンソールの外壁を構成する平板状の取付壁２０には横長矩形状の開口２１が形成されており、同開口２１内及び取付壁２０の裏側に電源コンセント１０が設けられている。
【００１１】
図２に示すように、取付壁２０の裏側における上記開口２１の下側縁部には、底壁２２が後方に向けて延びている。この底壁２２の後端には、奥壁２３が上方に向けて延びている。底壁２２の両側端には横壁２４が上方に向けて延びている。
【００１２】
図２及び図３に示すように、底壁２２上にはカバー４０が設けられている。カバー４０は、開口２１に近接して同開口２１を閉塞する閉塞位置と、開口２１から離間して上記奥壁２３に当接して開口２１を開放する開放位置との間で移動する。横壁２４の内面には第２レール溝２４ｂが前後方向に沿って延びている。また、カバー４０のカバー本体４１の両側面の下端からは突部４１ａが前後方向に沿って延びている。第２レール溝２４ｂにはカバー本体４１の突部４１ａが係合されており、このことによってカバー４０の前後方向への移動が案内される。
【００１３】
カバー本体４１は箱状をなしており、同カバー本体４１の前面である意匠面４２とは反対側である後側の面が開口している。この意匠面４２には電源プラグ９０の電極９１の上下幅よりも僅かに大きい上下幅を有し、且つ同電極９１の左右幅よりも僅かに大きい左右幅の凹部４２ａが形成されている。カバー本体４１の上部には支持部４３が立設されており、その先端には軸部４４が突設されている。
【００１４】
奥壁２３とカバー本体４１との間には、ばね６０が設けられており、同ばね６０によってカバー本体４１が閉塞位置に向けて、すなわち前方に向けて付勢されている。尚、ばね６０全体が湾曲することなく略同一軸線上において伸縮するように、図示しないガイド部材によってばね６０の位置が規制されている。
【００１５】
図２〜図４に示すように、カバー４０上にはコンセント本体３０が上下方向に昇降可能に設けられている。コンセント本体３０は、開口２１から離間した離間位置と、開口２１に近接する近接位置との間で移動する。
【００１６】
図３に示すように、横壁２４の内面には第１レール溝２４ａが上下方向に沿って延びている。また、収容部３１の両側面からは突部３１ａが上下方向に沿って延びている。第１レール溝２４ａにはコンセント本体３０を構成する収容部３１の突部３１ａが係合されており、このことによってコンセント本体３０の昇降が案内される。
【００１７】
図２及び図３に示すように、コンセント本体３０の収容部３１の幅方向中央部からは傾斜部３５が後部側ほど上方に位置するように傾斜して延びている。収容部３１と傾斜部３５の一部とには後方に向けて延びる第１溝３７が形成されている。また、傾斜部３５には第１溝３７の後端に接続されるとともに後部側ほど上方に位置するように傾斜して延びる第２溝３８が形成されている。これら第１溝３７、第２溝３８によってガイド溝３６が構成されている。
【００１８】
このガイド溝３６に上記カバー４０の軸部４４が嵌合されている。これらガイド溝３６を有する収容部３１及び傾斜部３５と軸部４４とによって、カバー４０の移動とコンセント本体３０の移動とを連動させる連動機構５０が構成されている。
【００１９】
図３及び図４に示すように、収容部３１の内部には金属製の板ばねからなる一対の接続端子７１が収容されており、同接続端子７１には給電線７２が接続されている。収容部３１の前部及び下部には接続端子７１に対応するように電源プラグ９０の電極９１が差し込まれる一対の差込口３２が形成されている。
【００２０】
次に、本実施形態の作用について説明する。
電源コンセント１０を使用する際には、図２に二点鎖線にて示すように、電源プラグ９０の電極９１の先端によってカバー４０の意匠面４２を押すことにより、カバー４０は図２に示す閉塞位置から後方に移動する。このとき、図６に示される位置にカバー４０が到達するまではカバー４０の軸部４４がコンセント本体３０の第１溝３７内を移動するため、コンセント本体３０は同図に示される離間位置から移動しない。
【００２１】
この状態から電源プラグ９０を更に挿入すると、カバー４０の軸部４４が、後斜め上方に延びるコンセント本体３０の第２溝３８内を相対移動するため、コンセント本体３０が下降するようになる。そして、図７に示すように、カバー４０が閉塞位置まで移動するとコンセント本体３０は近接位置まで下降する。また、コンセント本体３０が図６に示される位置から図７に示される位置まで下降する際に、その差込口３２に電源プラグ９０の電極９１が差し込まれ、同電極９１が接続端子７１に接続される（図８参照）。
【００２２】
ここで、接続端子７１を構成する板ばねが電極９１を挟圧する力は、カバー４０を閉塞位置に向けて付勢するばね６０の付勢力よりも大きくされているため、電源コンセント１０の使用時、すなわち電源プラグ９０が差し込まれているときに、ばね６０によってカバー４０が押し戻されることはない。
【００２３】
一方、コンセント本体３０の差込口３２から電源プラグ９０が引き抜かれると、接続端子７１から電極９１が抜け出て同接続端子７１による挟圧力が作用しなくなる。このため、ばね６０によって付勢されることによりカバー４０が図２に示される閉塞位置に復帰する。またこのときガイド溝３６の作用によって、電源プラグ９０を差し込むときとは逆方向にコンセント本体３０が離間位置に復帰する。
【００２４】
このように、本実施形態によれば、カバー４０が取付壁２０の裏側に常に位置することから、意図しない外力がカバー４０に対して作用することがない。従って、カバー４０が邪魔になったり、折損したりすることが好適に抑制される。
【００２５】
以上説明した本実施形態に係る電源コンセントによれば、以下に示す効果が得られるようになる。
（１）電源コンセント１０には、取付壁２０に形成された開口２１の裏側において前後動可能に設けられ、開口２１に近接して同開口２１を閉塞する閉塞位置と同開口２１から離間して同開口２１を開放する開放位置とに移動可能なカバー４０が設けられている。また、取付壁２０の裏側において同取付壁２０の壁面に沿って移動可能に設けられるとともに電源プラグ９０の電極９１が差し込まれる接続端子７１を有し、開口２１から離間した離間位置と同開口２１に近接する近接位置とに移動可能なコンセント本体３０が設けられている。また、閉塞位置から開放位置へのカバー４０の移動と離間位置から近接位置へのコンセント本体３０の移動とを連動させる連動機構５０が設けられている。そして、コンセント本体３０が離間位置から近接位置に移動する際に電源プラグ９０の電極９１が接続端子７１に差し込まれるように同コンセント本体３０が構成されている。
【００２６】
こうした構成によれば、カバー４０が取付壁２０の開口２１内に常に位置することから、意図しない外力がカバー４０に対して作用することがない。従って、カバー４０が邪魔になったり、損傷したりすることを好適に抑制することができる。
【００２７】
また、電源コンセント１０の使用時において取付壁２０の前面よりもカバー４０が突出しないため、電源プラグ９０とカバー４０とが干渉することがない。このため、コンセント本体３０の差込口３２に電源プラグ９０を好適に差し込むことができる。
【００２８】
よって、カバー４０が邪魔になったり、損傷したりすることを好適に抑制することができるとともに、大型の電源プラグ９０であってもこれを好適に差し込むことができる。
（２）カバー４０を閉塞位置へ向けて付勢するばね６０が設けられている。こうした構成によれば、コンセント本体３０から電源プラグ９０が引き抜かれると、ばね６０によって付勢されることによりカバー４０が閉塞位置に復帰する。このため、取付壁２０の開口２１がカバー４０によって自動的に閉塞される。従って、取付壁２０の開口２１を容易に閉塞させることができ、電源コンセント１０が使用されていないときに開口２１内に異物が入り込むことを抑制することができる。
【００２９】
（３）カバー４０の意匠面４２には電源プラグ９０の挿入姿勢を規制する凹部４２ａが形成されている。こうした構成によれば、電源プラグ９０の電極９１の先端によってカバー４０の意匠面４２を押す際に電源プラグ９０の挿入姿勢が規制されるため、電源プラグ９０をカバー４０に対して位置ずれすることなく好適に挿入することができる。
【００３０】
尚、本発明に係る電源コンセントは、上記実施形態にて例示した構成に限定されるものではなく、これを適宜変更した例えば次のような形態として実施することもできる。
・電源コンセントはセンターコンソールに設けられるものに限られるものではなく、インストルメントパネル等の車室内の他の部位に設けるようにしてもよい。また、本発明は車載用の電源コンセントに限られるものではなく、住宅用の電源コンセントに対しても本発明を適用することができる。
【００３１】
・電源コンセント１０を３枚の電極を有する３相の電源プラグに対応した形状とすることもできる。この場合、電極の数に応じて差込口の数及び端子の数を変更すればよい。また、電源コンセントを棒状のピンを有する同軸電源プラグに対応した形状とすることもできる。
【００３２】
・カバーの意匠面に形成される凹部の形状及び数は電源プラグの電極の形状や数に対応して適宜変更するようにしてもよい。例えば、コンセント本体の端子と対応する２箇所の位置に上下方向に長い形状、すなわち縦長状の凹部を形成するようにしてもよい。
【００３３】
・カバー４０の意匠面４２の凹部４２ａを省略し、カバーの意匠面を平面状とすることもできる。
・ばね６０を省略し、コンセント本体３０を近接位置から離間位置へ向けて付勢する付勢部材を設けるようにしてもよい。この場合、コンセント本体から電源プラグが引き抜かれると、付勢部材によって付勢されることによりコンセント本体が離間位置に復帰するとともにカバーが閉塞位置に復帰する。このため、上記実施形態の効果（２）に準じた効果を奏することができる。
【符号の説明】
【００３４】
１０…電源コンセント、２０…取付壁、２１…開口、２２…底壁、２３…奥壁、２４…横壁、２４ａ…第１レール溝、２４ｂ…第２レール溝、３０…コンセント本体、３１…収容部、３１ａ…突部、３２…差込口、３３…電極受部、３５…傾斜部、３６…ガイド溝、３７…第１溝、３８…第２溝、４０…カバー、４１…カバー本体、４１ａ…突部、４２…意匠面、４２ａ…凹部、４３…支持部、４４…軸部、５０…連動機構、６０…ばね、９０…電源プラグ、９１…電極。
【図１】
2014075213.tif 000003
【図２】
2014075213.tif 000004
【図３】
2014075213.tif 000005
【図４】
2014075213.tif 000006
【図５】
2014075213.tif 000007
【図６】
2014075213.tif 000008
【図７】
2014075213.tif 000009
【図８】
2014075213.tif 000010